(57)【要約】【課題】冷蔵庫を利用して、氷等を用意する手間をかけることなく、ビール樽から冷えたビールを注ぐことが可能なビールサーバ付き冷蔵庫を提案すること。【解決手段】ビールサーバ付き冷蔵庫１は、ビール樽Ｂを収納可能な冷蔵庫本体２にビールサーバ３を取付けてある。扉２３を閉めた庫内２４で冷やされるビール樽Ｂからは、冷蔵庫本体２の上面２１に取付けたコック付き注ぎ口４のコックを開いてビールを注ぐことができる。従って、従来のように、コック付き注ぎ口に接続されるビール供給パイプを冷やすための氷等を用意する必要がないので、手軽にビール樽Ｂから冷えたビールを注ぐことできる。【選択図】　　　図２
2004069154.tif 000002
【特許請求の範囲】
【請求項１】
ビール樽を収納可能な冷蔵庫本体とビールサーバとを有し、
前記ビールサーバは、前記冷蔵庫本体内部に収納した前記ビール樽に炭酸ガスを供給するガスボンベと、当該ビール樽の中から押し出されるビールを通すビール排出パイプと、このビール排出パイプの先端に接続されたコック付き注ぎ口とを備え、
前記コック付き注ぎ口は前記冷蔵庫本体の外側に配置されていることを特徴とするビールサーバ付き冷蔵庫。
【発明の詳細な説明】
【０００１】
【発明の属する技術分野】
本発明は、冷蔵庫内に収納したビール樽からビールを注ぐために、ビールサーバが取付けられた構成のビールサーバ付き冷蔵庫に関するものである。
【０００２】
【従来の技術】
特に、飲食店などで用いられるビール樽は、ビールサーバを取付けて樽の中のビールを注ぐようになっている。ビールサーバは、ビール樽に炭酸ガスを供給するガスボンベと、炭酸ガスを供給することによりビール樽から押し出されるビールを通すビール供給パイプを有し、このビール供給パイプの先端には、コックを開くことによりビールを注ぐことが可能なコック付き注ぎ口が取付けられている。また、酒屋においては冷えたビール樽も販売されているが、ビールサーバでは、ビール供給パイプを氷などを充填した容器に引き回し、ここにビールを通すことにより、ビールを冷やしている。一般的に、ビール樽は保冷されずに置かれる為、ビールサーバを取付けて封が開いた樽の中のビールは日持ちがしない。
【０００３】
【発明が解決しようとする課題】
しかしながら、従来のビールサーバは、容器に入れる氷を準備する必要があるため、手間が掛かる。また、一般家庭では、ビール樽を購入してビールサーバを使用する機会は多くないため、ビールサーバを設置することは面倒である。
【０００４】
本発明の課題は、冷蔵庫を利用して、氷等を用意する手間をかけることなく、ビール樽から冷えたビールを注ぐことができ、ビールを冷蔵庫に保存することも可能なビールサーバ付き冷蔵庫を提案することにある。
【０００５】
【課題を解決するための手段】
上記の課題を解決するために、本発明のビールサーバ付き冷蔵庫は、
ビール樽を収納可能な冷蔵庫本体とビールサーバとを有し、
前記ビールサーバは、前記冷蔵庫本体内の前記ビール樽に炭酸ガスを供給するガスボンベと、炭酸ガスの供給により当該ビール樽の中から押し出されるビールを通すビール排出パイプと、このビール排出パイプの先端に接続されていると共に前記冷蔵庫本体の外側に配置されているコック付き注ぎ口を備えていることを特徴としている。
【０００６】
本発明のビールサーバ付き冷蔵庫は、冷蔵庫本体でビール樽を冷やし、冷蔵庫本体の外に取付けたコック付き注ぎ口のコックを開くことにより、冷えたビール樽からビールを注ぐことができる。従って、従来のように、ビール供給パイプを冷やすための氷等を用意する必要がないので、手軽にビール樽から冷えたビールを注ぐことできる。さらに、ビール樽は冷蔵庫で冷やされている為、封を開いても、樽の中のビールが日持ちする。
【０００７】
また、冷蔵庫本体は、ビール樽を入れていない時は、通常の冷蔵庫としても使用できるので、ビール樽を購入する機会の少ない一般家庭で使うのにも適している。
【０００８】
【発明の実施の形態】
以下に、図面を参照して本発明を適用したビールサーバ付き冷蔵庫の例を説明する。
【０００９】
図１は、本発明を適用したビールサーバ付き冷蔵庫を示す斜視図である。図２は、図１のビールサーバ付き冷蔵庫の扉を開いた状態を示す斜視図である。これらの図に示すように、本発明のビールサーバ付き冷蔵庫１は、ビール樽Ｂを収納可能な冷蔵庫本体２と、冷蔵庫本体２内のビール樽Ｂに取付けてビールを注ぐことが可能なビールサーバ３とを有している。
【００１０】
冷蔵庫本体２の上面２１には、支柱２２が直立し、前方に折れ曲がった先端にビールサーバ３のコック付き注ぎ口４が取付けられている。また、前面の扉２３を開くことにより、庫内２４にビール樽Ｂを収納することができる。この冷蔵庫本体２は、底面のキャスタ２５によって、移動させることができる。
【００１１】
ビールサーバ３は、庫内２４のビール樽Ｂにガス供給パイプ５１を介して炭酸ガスを供給するガスボンベ５と、炭酸ガス５を供給することによりビール樽Ｂの中から押し出されるビールが通るビール排出パイプ６と、コック付き注ぎ口４とを有している。このコック付き注ぎ口４は、ビール排出パイプ６を冷蔵庫本体２の上面２１から引き出されたビール排出パイプ６の先端に取付けられ、コックを開けるとビールを注ぐことができる。ここで、コック付き注ぎ口４は、冷蔵庫本体２の上面２１の支柱２２の上端に取付けられており、ビール排出パイプ６は、支柱２２の中を通ってコック付き注ぎ口４に接続されている。
【００１２】
このように構成されたビールサーバ付き冷蔵庫１では、ビール樽Ｂを購入してきたら、まず、冷蔵庫本体２の扉２３を開けて、ガスボンベ５からのガス供給パイプ５１およびビール排出パイプ６を接続してからビール樽Ｂを庫内２４に入れて扉２３を閉める。
【００１３】
次に、冷蔵庫本体２の上面２１に取付けたコック付き注ぎ口４のコックを開くことにより、庫内２４で冷やされたビール樽Ｂから冷えたビールを注ぐことができる。
【００１４】
また、冷蔵庫本体２は、ビール樽Ｂを入れていない時は、通常の冷蔵庫としても使用できるので、便利である。
【００１５】
なお、上記の例ではガスボンベを冷蔵庫内に配置してあるが、大型のガスボンベを用いる場合には外に配置し、冷蔵庫の側壁部分などを貫通させてガス供給パイプ５１を引き回せばよい。また、コック付き注ぎ口４を、支柱２２の先端から取り外し可能とすることもできる。
【００１６】
さらに、コック付き注ぎ口４の取付位置は、冷蔵庫本体２の上面２１に限定されるものではなく、冷蔵庫本体２の配置場所、使い易さ等を考慮して、冷蔵庫本体２の外側に設定すればよい。例えば、図３（ａ）に示すように冷蔵庫本体２の側面、または、図３（ｂ）に示す冷蔵庫本体２における扉２３の前面に形成した凹部２３ａなどをコック付き注ぎ口４の取付位置とすることができる。
【００１７】
【発明の効果】
以上説明したように、本発明のビールサーバ付き冷蔵庫では、ビール樽を収納可能な冷蔵庫本体にビールサーバを取付けてあるので、冷蔵庫本体でビール樽を冷やして、冷蔵庫本体の外に取付けたコック付き注ぎ口のコックを開いてビールを注ぐことができる。従って、従来のように、ビール供給パイプを冷やすための氷等を用意する必要がないので、手軽にビール樽から冷えたビールを注ぐことできる。さらに、ビール樽は冷蔵庫で冷やされている為、封を開いても、樽の中のビールは日持ちする。
【００１８】
また、冷蔵庫本体は、ビール樽を入れていない時は、通常の冷蔵庫として使用できるので、ビール樽を購入する機会の少ない一般家庭で使うのにも適している。
【図面の簡単な説明】
【図１】本発明を適用したビールサーバ付き冷蔵庫を示す斜視図である。
【図２】図１のビールサーバ付き冷蔵庫の扉を開いた状態を示す斜視図である。
【図３】（ａ）および（ｂ）は、本発明を適用したビールサーバ付き冷蔵庫の別の例を示す斜視図である。
【符号の説明】
１　ビールサーバ付き冷蔵庫
２　冷蔵庫本体
３　ビールサーバ
４　コック付き注ぎ口
５　ガスボンベ
６　ビール排出パイプ
２１　上面
２２　支柱
２３　扉
２４　庫内
２５　キャスタ
Ｂ　ビール樽
【図１】
2004069154.tif 000003
【図２】
2004069154.tif 000004
【図３】
2004069154.tif 000005